(57)【要約】【課題】感度調整動作を要することなく広い帯域の周波数に対して充分な受信感度を確保できるようにし、イヤーホーンへの音声信号の伝送もできるようにしてイヤーホーンとアンテナを一体化する。【解決手段】バラン４に接続された左右のイヤーホーン１２Ｌ、１２Ｒに対応する二対の音声・高周波兼用信号線８Ｌａ、８Ｌｂ、８Ｒａ、８Ｒｂの反バラン側の端子にローディングコイルＬＬａ、ＬＬｂ、ＬＲａ、ＬＲｂを介してイヤーホーン１２Ｌ、１２Ｒに接続する。ローディングコイルＬＬａ、ＬＬｂ、ＬＲａ、ＬＲｂは基本周波数（例えば１００ＭＨｚ）に対してローインピーダンスに、それより高い特定周波数（例えば２００ＭＨｚ）に対してハイインピーダンスになり高周波的に遮断する。更に二対の音声・高周波兼用信号線８Ｌａ、８Ｌｂ、８Ｒａ、８Ｒｂを、左右のイヤーホーン１２Ｌ、１２Ｒへの音声信号の伝送手段としても機能するようにする。【選択図】        図１
2004266434.tif 000002
【特許請求の範囲】
【請求項１】
平衡モードから不平衡モードに変換するバランを有し、該バランの平衡モード側の端子に、左のイヤーホーンに接続される一対の音声・高周波兼用信号線、及び、右のイヤーホーンに接続される一対の音声・高周波兼用信号線が接続されたイヤーホーンアンテナであって、
高周波信号に対しては、上記二対の音声・高周波兼用信号線が受信アンテナとして機能し、音声信号に対しては該二対の音声・高周波兼用信号線が上記左右のイヤーホーンへの音声信号伝送手段として機能するようにされた
ことを特徴とするイヤーホーンアンテナ。
【請求項２】
前記左右のイヤーホーンと、それに接続される前記各音声・高周波兼用信号線との間に、高周波信号に対してはハイインピーダンスになってその信号を実質的に遮断し、音声信号に対してはローインピーダンスになってその信号の伝送を許容する高周波信号遮断手段を有する
ことを特徴とする請求項１記載のイヤーホーンアンテナ。
【請求項３】
平衡モードから不平衡モードに変換するバランを有し、該バランの平衡モード側の端子に、左のイヤーホーンに接続される一対の音声・高周波兼用信号線、及び、右のイヤーホーンに接続される一対の音声・高周波兼用信号線が接続され、高周波信号に対しては、上記二対の音声・高周波兼用信号線が受信アンテナとして機能し、音声信号に対しては該二対の音声・高周波兼用信号線が上記左右のイヤーホーンへの音声信号伝送手段として機能するようにされたイヤーホーンアンテナと、
上記イヤーホーンアンテナの上記バランの不平衡側端子に、ケーブルを介して接続された受信装置と、
からなることを特徴とする無線機。
【請求項４】
平衡モードから不平衡モードに変換するバランを有し、該バランの平衡モード側の端子に、上記左のイヤーホーンに対応する一対の音声・高周波兼用信号線、及び、右のイヤーホーンに対応するれる一対の音声・高周波兼用信号線が接続され、該各対の音声・高周波兼用信号線の反バラン側の端子それぞれが各別のローディングコイルを介して対応するイヤーホーンに接続されたイヤーホーンアンテナであって、
上記各ローディングコイルは、予め設定された基本周波数より高い特定の周波信号に対してはハイインピーダンスになって高周波的に上記二対の音声・高周波兼用信号線から分離して該信号線をダイポールアンテナとして機能させ、上記基本周波数の信号に対してはローインピーダンスにして高周波的に上記二対の音声・高周波兼用信号線と上記各ローディングコイルとを接続して結んでその双方によるダイポールアンテナが機能するようにされ、
更に、上記各対の音声・高周波兼用信号線は、左右のイヤーホーンへの音声信号に対しては音声信号伝送手段として機能するようにした
ことを特徴とするイヤーホーンアンテナ。
【請求項５】
前記左右のイヤーホーンに接続される一対の音声・高周波兼用信号線のうちの一方のみをバランの平衡側の端子に接続し、
該一対の音声・高周波兼用信号線を他方同士を高周波的に接続し、
左のイヤーホーンに対応する一対の高周波兼用信号線のうちの一方と、該対の他方と、右のイヤーホーンに対応する一対の高周波兼用信号線の一方と、該対の他方とからなる折り返しダイポールアンテナが構成されるようにした
ことを特徴とする請求項４記載のイヤーホーンアンテナ。
【請求項６】
前記二対の音声・高周波兼用信号線の前記バランの平衡モード側の端子に接続された側の部分における、その二対の一方と他方で成す角度が略１８０°を成し、前記特定の周波数信号に対してその二対の音声・高周波兼用信号線がＵ型ダイポールアンテナとして機能するようにされた
ことを特徴とする請求項１、２、３、４又は５記載のイヤーホーンアンテナ。
【請求項７】
前記二対の音声・高周波兼用信号線の前記バランの平衡モード側の端子に接続された側の部分における、その二対の一方と他方で成す角度が１８０°より小さい角度を成し、前記特定の周波数信号に対してその二対の音声・高周波兼用信号線がＶ型ダイポールアンテナとして機能するようにされた
ことを特徴とする請求項１、２、３、４又は５記載のイヤーホーンアンテナ。
【請求項８】
前記左右一対のローディングコイルの各対の音声・高周波兼用信号線と、前記各イヤーホーンとの間に、高周波信号に対してハイインピーダンスになってその間を高周波的に分離し、音声信号に対してローインピーダンスになってその音声信号の伝送を許容する高周波遮断手段が設けられた
ことを特徴とする請求項４、５、６又は７記載のイヤーホーンアンテナ。
【請求項９】
前記左右の対を成す音声・高周波兼用信号線間それぞれに帯域拡大用コンデンサを接続してなる
ことを特徴とする請求項１、２、４、５、６、７又は８記載のイヤーホーンアンテナ。
【請求項１０】
前記ダイポールアンテナの各対の音声・高周波兼用信号線に音声信号を伝達する音声信号伝達経路を有し、
上記音声信号伝達経路に高周波信号に対してハイインピーダンスになる高周波遮断手段を介在させた
ことを特徴とする請求項１、２、４、５、６、７、８又は９記載のイヤーホーンアンテナ。
【請求項１１】
一つのコアに複数の導体線を同じ巻き数巻いてインピーダンスの等しい複数のコイルを形成した
ことを特徴とする複合コイル。
【請求項１２】
一つのコアに同じ巻き数のインピーダンスの等しい複数のコイルを形成した複合コイルを２個備え、
前記左右各対の各ローディングコイルとして上記複合コイルを構成する各コイルを用いてなる
ことを特徴とする請求項４、５、６、７、８、９又は１０記載のイヤーホーンアンテナ。
【請求項１３】
前記一対のローディングコイルを備えた部分間に首かけ紐で繋いだ
ことを特徴とする
請求項１、２、４、５、６、７、８、９、１０又は１２記載のイヤーホーンアンテナ
【請求項１４】
請求項４、５、６、７、９、１０、１２又は１３記載のイヤーホーンアンテナと、
上記バランの不平衡モード側の端子に接続された受信装置と、
からなることを特徴とする無線機。
【請求項１５】
高周波信号を通す中心導体と、
上記中心導体を囲繞する第１の絶縁体と、
上記第１の絶縁体を囲繞するシールド線と、
上記シールド線を囲繞する第２の絶縁体と、
上記第２の絶縁体の外側に巻かれた左右の音声信号を伝送する一対の音声信号線と、
を有することを特徴とする同軸ケーブル。
【請求項１６】
高周波信号を通す中心導体と該中心導体を囲繞する第１の絶縁体と該第１の絶縁体を囲繞するシールド線と該シールド線を囲繞する第２の絶縁体と該第２の絶縁体の外側に巻かれた左右の音声信号を伝送する一対の音声信号線及び共通音声信号線を有する同軸ケーブルをバランと受信装置との間の接続に用い、
該同軸ケーブルの中心導体及びシールド線を高周波信号の伝送に、上記各音声信号線を音声信号の伝送に用いた
ことを特徴とする請求項３又は１４記載の無線機。
【発明の詳細な説明】
【０００１】
【発明の属する技術分野】
本発明は、イヤーホーンアンテナ、特に、感度調整操作或いは受信周波数切換操作をしなくても広い周波数帯域に渡って高い受信感度を得ることができ、且つ人体からのイヤーホーンを通じての悪影響を受けないイヤーホーンアンテナと、それに用いる複合コイルと、同じくそのイヤーホーンアンテナに用いる同軸ケーブルと、イヤーホーンアンテナを備えた無線機に関する。
【０００２】
【従来の技術】
高い周波数の電波を受信する無線機のアンテナとして、イヤーホーンをそのまま利用したもの、或いは、無線機の筐体内に導体線を配置したもの等が従来良く用いられたが、これらのものは充分な受信感度を得ることが難しく、そこで、例えば、特開平１０−８４２０９号公報により紹介されたループアンテナが開発された。この種のアンテナは小型無線機の首紐にループアンテナを取付け、そのループアンテナに、インダクタンス素子を、そのループアンテナの開口面が人体表面に垂直になるような向きに並列に接続したものである。
【０００３】
しかし、これらのものは、イヤーホーンに対する配慮がなく、アンテナと、イヤーホーンへの信号線を別々に設けなければならないという問題を有していた。そこで、実開平６−２２３３１号公報によりヘルメットにイヤーホーンへの信号線とアンテナとを組み込んで一体化するようにしたイヤーホーンアンテナが開発されたりした。
【０００４】
【発明が解決しようとする課題】
上述した例えば特開平１０−８４２０９号公報等により紹介されたようなタイプのアンテナは、先ず、イヤーホーンを一体化することについての一切の配慮が成されていないという問題があった。
また、イヤーホーンへ音声信号を伝送する信号線とアンテナを一体化したイヤーホーンアンテナには、イヤーホーンが人体に直接接することから人体がアンテナを通じて無線機に大きな影響を及ぼし、受信の安定性が大きく損なわれるという問題があった。また、アンテナの整合部とチューナーなどの機器部が同じ機器内にあるために機器のノイズの影響を受け易いという問題もあった。
【０００５】
この問題はラジオにおいても生じるが、その放送電波より受信周波数の高いテレビジョン放送電波を受信する例えば携帯液晶ＴＶ（テレビジョン受像機）においてはその傾向が顕著に強い。しかし、それ対しては有効な対策が講じられていないのが実情であった。
また、テレビジョン放送を受信する場合、広帯域のテレビジョン放送周波数に対して該広帯域全域に渡って充分な受信感度を確保することが難しいという問題もあった。
【０００６】
即ち、所謂、携帯液晶ＴＶ（テレビジョン受像機）と称されるものは、９０〜７７０ＭＨｚという非常に広帯域の高周波信号を受信する必要がある。具体的には、日本におけるテレビジョン放送使用周波数帯域の場合、ＶＨＦ帯では、９０〜１０８ＭＨｚ（１〜３ｃＨ）、１７０〜２２２ＭＨｚ（４〜１２ｃＨ）が使用周波数となり、ＵＨＦ帯では４７０〜７７０ＭＨｚ（１３〜６２ｃＨ）が使用周波数となる。
このような広帯域に渡って充分な高さの受信感度を得ることは難しく、受信感度の低い帯域が生じることは避け得なかった。なぜならば、ループアンテナのループ長が受信周波数帯域を決定し、その帯域外の周波数に対してアンテナの受信感度が低下するからである。
【０００７】
そのため、例えば磁性体が移動可能に挿通された感度調整部材を設け、該磁性体の挿通量を受信しようとする周波数に応じて調整するというような感度調整手段の開発も試みられた。しかし、このような感度調整手段によれば、受信しようとする周波数を切り換えるとき毎に、感度調整動作をする必要があるという面倒があった。
【０００８】
尚、将来、ディジタル地上波による放送が行われることになっており、ディジタル地上波による放送電波はＵＨＦのみであるので、そのディジタル地上波対応の受信機の場合は、受信周波数帯域はアナログ地上波対応の受信機の場合よりも狭くて済むと言える。しかし、従来のイヤーホーンアンテナは、ディジタル地上波放送対応の受信機には適していない。というのは、前述の通り、人体からイヤホーン、イヤーホーンアンテナを通じて受信機に及ぼす高周波的悪影響をなくす等について有効な対策を講じ得ていないからである。
【０００９】
本発明はこのような問題点を解決すべく為されたものであり、人体からイヤーホーン通じて無線機側に及ぼす高周波的悪影響をなくすことができ、更に、受信機器から、アンテナ部から分離されることで、機器のノイズの影響を排除することができ、感度調整動作を要することなく広い帯域の周波数の信号に対して必要な受信感度を確保することが可能でかつイヤーホーンへの音声信号の伝送も可能なイヤーホーンアンテナと、それに用いる複合コイルと、同じくそのイヤーホーンアンテナに用いる同軸ケーブルと、イヤーホーンアンテナを備えた無線機を提供することを目的とする。
【００１０】
【課題を解決するための手段】
請求項１のイヤーホーンアンテナは、バランを有し、その平衡モード側の端子に、左のイヤーホーンに接続される一対の音声・高周波兼用信号線、及び、右のイヤーホーンに接続される一対の音声・高周波兼用信号線が接続されたイヤーホーンアンテナであって、高周波信号に対しては、上記二対の音声・高周波兼用信号線が受信アンテナとして機能し、音声信号に対しては該二対の音声・高周波兼用信号線が上記左右のイヤーホーンへの音声信号伝送手段として機能するようにされたことを特徴とする。
【００１１】
従って、請求項１のイヤーホーンアンテナによれば、バランにて平衡モードから不平衡モードにインピーダンス変換し、更に、上記二対の音声・高周波兼用信号線を、高周波信号に対しては受信アンテナとして機能させ、音声信号に対しては音声信号伝達手段として機能させるので、高周波受信アンテナとイヤーホーンとの一体化を図ることができる。
【００１２】
請求項３の無線機は、上記請求項１のイヤーホーンアンテナと、該イヤーホーンアンテナの上記バランの不平衡側端子にケーブルを介して接続された受信装置からなることを特徴とする。
従って、請求項３の無線機によれば、請求項１のイヤーホーンアンテナを用いるので、そのイヤーホーンアンテナの持つ利点を享受することができる。
【００１３】
請求項４のイヤーホーンアンテナは、バランを有し、該バランの平衡モード側の端子に、上記左のイヤーホーンに対応する一対の音声・高周波兼用信号線、及び、右のイヤーホーンに対応する一対の音声・高周波兼用信号線が接続され、該各対の音声・高周波兼用信号線の反バラン側の端子それぞれが各別のローディングコイルを介して対応するイヤーホーンに接続されたイヤーホーンアンテナであって、上記各ローディングコイルは、予め設定された基本周波数（例えば１００ＭＨｚ）より高い特定の周波信号（例えば２００ＭＨｚ）に対してはハイインピーダンスになって高周波的に上記二対の音声・高周波兼用信号線から分離して該信号線をダイポールアンテナとして機能させ、上記基本周波数（例えば１００ＭＨｚ）の信号に対してはローインピーダンスとなって高周波的に上記二対の音声・高周波兼用信号線と上記各ローディングコイルとを結んでその双方からなるダイポールアンテナが機能するようにされ、上記各対の音声・高周波兼用信号線は、左右のイヤーホーンへの音声信号に対しては音声信号伝送手段として機能するようにしたことを特徴とする。
【００１４】
従って、請求項４のイヤーホーンアンテナによれば、高周波信号をバランにて平衡モードから不平衡モードにモード変換することができると共に、基本周波数（例えば、１００ＭＨｚ）より高い特定の周波数（例えば２００ＭＨｚ）の信号に対してはローディングコイルがハイインピーダンスとなって上記二対の音声・高周波兼用信号線から分離し、その二対の音声・高周波兼用信号線をダイポールアンテナとして機能させ、共振させることができる。
また、基本周波数（例えば、１００ＭＨｚ）の信号に対しては上記ローディングコイルがローインピーダンスとなって上記二対の音声・高周波兼用信号線とそれに接続された各ローディングとを一つのダイポールアンテナとして機能させて共振させることができる。
【００１５】
依って、基本周波数（例えば１００ＭＨｚ）に共振し、更にその高調波（３倍波、例えば３００ＭＨｚ、５倍波、例えば５００ＭＨｚ、７倍波、例えば７００ＭＨｚ）に共振するダイポールアンテナと、予め設定された周波数（例えば１００ＭＨｚ）より高い特定の周波数（例えば２００ＭＨｚ）の信号に共振し、更にその高調波（３倍波、例えば６００ＭＨｚ等）に励振するダイポールアンテナとが上記二対の音声・高周波兼用信号線によって構成され、広い周波数帯域に渡って受信感度の変化の比較的少ない感度特性を得ることが可能になり、その感度特性を得るのにイヤーホーンアンテナに対する感度調整を全く要しない。
【００１６】
尚、そのローディングコイルは基本周波数（例えば１００ＭＨｚ）の共振に必要とされるアンテナ長を短縮するので、アンテナ長が短くても長い波長の信号に共振し得ることから、アンテナを徒に長くすることなく低い周波数の信号に対する受信感度を高めることができる。これも無視できない利点である。
従って、広い周波数帯域に渡って受信感度の変化の比較的少ない感度特性を得ることが可能になり、その感度特性を得るのにイヤーホーンアンテナに対する感度調整を全く要しない。
【００１７】
更に、請求項４のイヤーホーンアンテナによれば、音声信号に対しては上記各対の音声・高周波兼用信号線及び上記ローディングコイルが上記左右のイヤーホーンへの音声信号伝送手段として機能するようにしたので、イヤーホーンとアンテナの一体化を図ることができる。
従って、アンテナを広周波数帯域に渡る高周波信号の受信に用いることができると共に、イヤーホーンに音声信号を伝送する手段としても用いることができ、高感度、広帯域アンテナとイヤーホーンの一体化が可能となる。
【００１８】
請求項１１の複合コイルは、一つのコアに複数の導体線を同じ巻き数巻いてインピーダンスの等しい複数のコイルを形成したことを特徴とする。
従って、請求項１１の複合コイルによれば、複数のコイルを一つのコイルと略同じ大きさで形成することができ、複数のコイルを用いる装置、機器類の小型化、軽量化に寄与する。特に、イヤーホーンアンテナの前記左右各対の各ローディングコイルとして上記複合コイルを構成する各コイルを用いこととすると、イヤーホーンアンテナの小型化、軽量化に寄与し、イヤーホーンアンテナ使用時の煩わしさを軽減することができる。
【００１９】
請求項１４の無線機は、請求項４、５、６、７、９、１０、１２又は１３記載のイヤーホーンアンテナと、前記バランの不平衡モード側の端子に接続された受信装置とからなることを特徴とする。
従って、請求項１４の無線機によれば、上記請求項４、５、６、７、９、１０、１２又は１３記載のイヤーホーンアンテナの利点を享受することができる。
【００２０】
請求項１５の同軸ケーブルは、高周波信号を通す中心導体と、該中心導体を囲繞する第１の絶縁体と、該第１の絶縁体を囲繞するシールド線と、該シールド線を囲繞する第２の絶縁体と、該第２の絶縁体の外側に巻かれた左右の音声信号を伝送する一対の音声信号線を有することを特徴とする。尚、一対の音声信号線と上記シールド線により左右の音声信号を伝送するようにしても良いが、該一対の音声信号線の他に共通音声信号線を第２の絶縁体の外側に巻き、この３本の音声共通信号線により左右の音声信号を伝送するようにしても良い。
【００２１】
従って、請求項１５の同軸ケーブルによれば、上記中心導体と上記シールド線により高周波信号（例えば１００ＭＨｚ〜７００ＭＨｚの信号）を伝送し、音声共通信号線と、左右一対の音声信号線により左右の音声信号（例えば数１０〜２００００Ｈｚ）を伝送することができ、一つの同軸ケーブルを高周波信号と左右の音声信号の両方の伝送に用いることができる。
特に、その同軸ケーブルは、高周波信号と左右の音声信号の両方の伝送に用いることができるので、上記各種イヤーホーンアンテナと、受信装置とを接続した無線機のその接続手段に最適である。
【００２２】
【発明の実施の形態】
本発明イヤーホーンアンテナは、基本的には、バランと、該バランの平衡モード側の端子に接続された左右のイヤーホーンに対応する二対の音声・高周波兼用信号線からなり、該二対の音声・高周波兼用信号線が、高周波信号に対しては受信アンテナとして、音声信号に対しては上記左右のイヤーホーンへの音声信号伝送手段として機能するようにしたものである。
【００２３】
そして、例えば、ディジタル地上波対応の受信機に用いる場合には、片側が１５ｃｍ及び１１ｃｍの長さを有し互いに５ｍｍ以上の間隔を持って配設された２本の音声・高周波兼用信号線を、左右に対応して互いに９０°以上開いた角度で固定してバランに接続したものを用いると良い。というのは、これで、ディジタル地上波放送されるＵＨＦのすべての帯域の高周波信号を受信できるダイポールアンテナを構成でき、それでいて音声信号の伝送は支障なく為し得るからである。
【００２４】
その場合、ダイポールアンテナの反バラン側端子とイヤーホーンとの間に、高周波信号（例えばＵＨＦ波）に対してはハイインピーダンスになってその高周波信号を遮断し、音声信号に対してはローインピーダンスになってその音声信号の伝送を許容する高周波遮断手段〔例えばインダクタンス素子（コイル）〕を介在させるようにすると良い。それにより、人体からイヤーホーンを通じて無線機の受信装置側に及ぼす影響をなくすことができ、受信の安定性を高めることができるからである。
【００２５】
また、通常のテレビジョン地上波（アナログ地上波）放送対応の受信機に用いる場合には、バラン、及び、左右のイヤーホーンに接続される二対の音声・高周波兼用信号線に、左右の一対ずつローディングコイルを付加したものをイヤーホーンアンテナとして用いる。この場合には、周波数帯域の違いに応じてローディングコイルがハイインピーダンスになったり、ローインピーダンスになったりすることにより、該二対の音声・高周波兼用信号線が、上記特定の周波数（２００ＭＨｚ）の高周波信号に共振するダイポールアンテナとして機能し、該二対の音声・高周波兼用信号線に上記一対のローディングコイルを付加したものが上記基本周波数（１００ＭＨｚ）に共振するダイポールアンテナとしても機能する。
【００２６】
そして、そのような通常のテレビジョン地上波放送対応の受信機に用いる場合においては、前記左右のイヤーホーンに接続される一対の音声・高周波兼用信号線の一方のみをバランの平衡側端子に接続し、該一対の音声・高周波兼用信号線を他方同士を高周波的に接続し、以て、左のイヤーホーンに対応する一対の高周波兼用信号線の一方と、該対の他方と、右のイヤーホーンに対応する一対の高周波兼用信号線の一方と、該対の他方を含んだ折り返しダイポールアンテナが構成されるようにしてもよい。この場合には、アンテナによるインピーダンスが４倍になり、バルンでのインピーダンスマッチングを容易に取ることができる。
【００２７】
そして、ローディングコイルの各対の音声・高周波兼用信号線と、前記各イヤーホーンとの間に、高周波遮断手段、例えばフェライトビーズ（或いはチョークコイル）を設けて、人体が高周波信号の受信に対して悪影響を及ぼすのを防止することが好ましい。受信の安定性を高めることができるからである。
また、前記左右の対を成す音声・高周波兼用信号線間それぞれに帯域拡大用コンデンサを接続するようにしても良い。それにより受信周波数帯域を拡げることができるからである。
【００２８】
そして、前記ダイポールアンテナの各対の音声・高周波兼用信号線に音声信号を伝達する音声信号伝達経路に高周波信号に対してハイインピーダンスになる高周波遮断手段、例えばフェライトビーズ（チョークコイル）を介在させて、音声信号経路への不必要な高周波信号の信号を防止できるようにすると良い。
【００２９】
左右一対ずつのローディングコイルは、それぞれ、分離独立した部品で構成してもよい。しかし、そのようにすると、ローディングコイル、延いてはそれを備えたローディングコイルの専有面積が増え、延いてはイヤーホーンアンテナの大型化、重量の増加に繋がる可能性がある。そこで、大型化等を回避するために、一つのコアを共有する二つの巻線からなる複数のコイルを一体に設けた複合コイルで各対のローディングコイルを構成するように設けるようにしても良い。
【００３０】
また、本発明イヤーホーンアンテナは、それから離れた無線機の受信装置に高周波信号を送り、その受信装置から音声信号を受け取るので、その高周波信号、音声信号の受信装置との送受信には同軸ケーブルを用いることがノイズの侵入防止、受信の安定性の向上等の面から好ましい。そして、その同軸ケーブルとして、高周波信号を通す中心導体と、該中心導体を囲繞する絶縁体と、該絶縁体を囲繞するシールド線と、該シールド線を囲繞する絶縁体と、該絶縁体の外側に左右の音声信号線を設けたものを用いると良い。
【００３１】
なぜなら、一つの同軸ケーブルによって高周波信号と左右の音声信号の両方の伝送に用いることができ、イヤーホーンアンテナと、無線機の受信装置との間を接続する同軸ケーブルに最適であるからである。尚、一対の音声信号線と上記シールド線により左右の音声を伝送するようにしても良いが、該一対の音声信号線の他に共通音声信号線を第２の絶縁体の外側に巻き、この３本の音声共通信号線により左右の音声信号を伝送するようにしても良い。
上記各信号線は、導電性及び機械的柔軟性（フレキシビィリテイ）等を備えるように複数の線材を拠ってつくると良く、その材料として、例えば軟銅が好適である。
【００３２】
上記二対の音声・高周波兼用信号線はその該バランに接続された側の部分が互いに略１８０°の角度を成すようにしても良い。このようにした場合、その二対の音声・高周波兼用信号線は前記特定の周波数（例えば２００ＭＨｚ）の信号に対してＵ型ダイポールアンテナとして機能する。
また、その角度を約１８０°よりも小さな角度にしても良い。このようにした場合、その二対の音声・高周波兼用信号線は前記特定の周波数（例えば２００ＭＨｚ）の信号に対してＶ型ダイポールアンテナとして機能する。
このように、本発明は種々の形態で実施することができる。
【００３３】
【実施例】
以下、本発明を図示実施例に従って詳細に説明する。
図１（Ａ）、（Ｂ）は本発明イヤーホーンアンテナの第１の実施例を示すもので、（Ａ）は構成図、（Ｂ）はアンテナの回路図である。図２（Ａ）〜（Ｃ）はそのイヤーホーンアンテナに用いる各別の部材を示し、（Ａ）はピンジャックコネクタを示す図、（Ｂ）は同軸ケーブルの構成図、（Ｃ）は複合コイルの構成図である。
【００３４】
図面において、２は本イヤーホーンアンテナ（本発明イヤーホーンアンテナの第１の実施例）で、バラン４等を収納するマッチングボックス６と、該バラン４の平衡側端子に接続された音声・高周波兼用信号線８Ｌａ、８Ｌｂ、８Ｒａ、８Ｒｂと、該音声・高周波兼用信号線８Ｌａ、８Ｌｂ、８Ｒａ、８Ｒｂの反バラン側端子に接続された一対のローディングボックス１０Ｌ、１０Ｒとからなる。
該ローディングボックス１０Ｌ、１０Ｒの音声・高周波兼用信号線８Ｌａ、８Ｌｂ、８Ｒａ、８Ｒｂと反対側の端子にイヤーホーン１２Ｒ、１２Ｌが接続されている。そして、該音声・高周波兼用信号線８Ｌａ、８Ｌｂ、８Ｒａ、８Ｒｂは導電性及び機械的柔軟性等を備える複数の線材を拠って作られ、例えば軟銅からなる。また、拠り線は、それぞれが、絶縁されているリツ線を使用してもよい。
【００３５】
上記バラン４は平衡モードを非平衡モードにモード変換し、かつインピーダンス変換するもので、平衡部側の端子の一方に左側の音声・高周波兼用信号線８Ｌａ、８Ｌｂが、他方に右側の音声・高周波兼用信号線８Ｒａ、８Ｒｂが、バラン４の平衡側端子から互いに３０°以上の固定された角度（本例では９０°）で延び、Ｖ型ダイポールアンテナとして機能しうるように接続されている。そのバラン４からインピーダンスボックス１０Ｌ、１０Ｒに至る長さは例えば３７ｃｍ或いはそれ以上にされている。
【００３６】
このように、片側を２本の信号線（左側については８Ｌａ・８Ｌｂ、右側については８Ｒａ、８Ｒｂ）で構成するのは、これら音声・高周波兼用信号線８Ｌａ、８Ｌｂ、８Ｒａ、８Ｒｂに高周波信号の受信アンテナとして機能させるだけでなく、左右の各イヤーホーン１２Ｌ、１２Ｒへ音声信号を伝送する音声信号伝送手段としても機能させるようにするためである。尚、受信アンテナ（ダイポールアンテナ）としての周波数帯域を下側に拡げるために、音声・高周波兼用信号線８Ｌａ・８Ｌｂ間及び８Ｒａ、８Ｒｂ間に、コンデンサＣ３Ｌ、Ｃ３Ｒを接続するようにしても良い。
【００３７】
尚、図１（Ａ）、（Ｂ）において２点鎖線で示すように、補助アンテナ８Ｌｃ、８Ｒｃを設けて特性を補うようにしても良い。該補助アンテナ８Ｌｃ、８Ｒｃは長さが例えば５０ｍｍで、音声／高周波兼用信号線８Ｌａ、８Ｌｂ、８Ｌａ、８Ｌｂから最低５ｍｍ離して設けることが好ましい。
この図１（Ａ）に示すような大きさ、形状の信号線８Ｌａ、８Ｌｂ、８Ｒａ、８Ｒｂ（及び、８Ｌｃ、８Ｒｃ）は２００ＭＨｚの高周波信号に共振し、その高調波（３倍波、５倍波、７倍波）に励振するＶ型ダイポールアンテナとしての機能を有する。
【００３８】
該バラン４の非平衡部側の端子は同軸ケーブル１４を介して受信機、例えば、液晶ＴＶ（テレビジョン受像機）１６に接続されている。該バラン４は本実施例では平衡２００Ωを不平衡７５Ωにモード変換及びインピーダンス変換を行うものが用いられる。
尚、上記同軸ケーブル１４と該液晶ＴＶ１６との接続は図２（Ａ）に示すピン配列のピンジャックコネクタを用いて行われる。
【００３９】
該同軸ケーブル１４は図２（Ｂ）に示すように、高周波信号用の信号線と、音声信号用の信号線を一体化した同軸一体ケーブルであり、一つの同軸ケーブルで高周波信号の伝送と、左右の音声信号の伝送を行う。必ずしも、高周波信号用の信号線と、音声信号用の信号線を一つの同軸ケーブルで伝送することは不可欠ではなく、別々のケーブルにより伝送するようにしても良いが、一つの同軸ケーブルで高周波信号と音声信号を送るようにすると、使用するケーブルの使用本数が少なくて済み、小型化、軽量化、低価格化を図ることができるので好ましいと言える。
該同軸ケーブル１４は、本イヤーホーンアンテナ２と、無線機、例えば液晶ＴＶ（テレビジョン受像機）１６の受信回路（受信装置）１６との間を接続し、図２（Ｂ）に示すような構造を有する。
【００４０】
即ち、本同軸ケーブル１４は、高周波信号を通す中心導体３１を芯線とし、その中心導体３１を絶縁体３２で被覆し、該絶縁体３２をシールド線（例えば裸軟銅線からなる）３３で被覆し、該シールド線３３をその外側から例えばテープ３４により巻いて被覆し、そのテープ３４の外側に互いに絶縁分離された３本の音声信号線３５ａ、３５ｂ、３５ｃを巻き、その外側をジャケット３６で覆ったものである。上記３本の音声信号線３５ａ、３５ｂ、３５ｃの一つが左側音声信号線、他の一つが右側音声信号線、残りが共通音声信号線（グランドライン）となる。但し、本実施例においては、共通音声信号線を遊ばせ、音声信号を左右の音声信号線とシールド線により音声信号を伝送するようにしている。
【００４１】
上記左右のローディングボックス１０Ｌ、１０Ｒは、それぞれ、音声／高周波兼用信号線８Ｌａ・８Ｌｂ、８Ｒａ・８Ｒｂと左右のイヤーホーン１２Ｌ、１２Ｒとの間に接続されている。
そして、該ローディングボックス１０Ｌは、ローディングコイルＬＬａ、ＬＬｂと、該ローディングコイルＬＬａ、ＬＬｂに一端が接続された高周波遮断手段たるフェライトビーズＦ１Ｌａ、Ｆ１Ｌｂを有し、該フェライトビーズＦ１Ｌａ、Ｆ１Ｌｂの他端が、左のイヤーホーン１２Ｌに接続されている。
【００４２】
また、ローディングボックス１０Ｒは、ローディングコイルＬＲａ、ＬＲｂと該ローディングコイルＬＲａ、ＬＲｂに一端が接続された高周波遮断手段たるフェライトビーズＦ１Ｒａ、Ｆ１Ｒｂを有し、該フェライトビーズＦ１Ｒａ、Ｆ１Ｒｂの他端が、右のイヤーホーン１２Ｒに接続されている。
【００４３】
これらのフェライトビーズ（例えば村田製作所製ＢＬＭ１８ＨＤ１０２ＳＮ１サイズ１６０８）Ｆ１Ｒａ、Ｆ１Ｒｂは、５０〜２００００Ｈｚのような音声信号に対してはローインピーダンスになり、ローディングコイルＬＬａ、ＬＬｂ、ＬＲａ、ＬＲｂとイヤーホーン１２Ｌ、１２Ｒとの間における音声信号の伝送を許容する。また、高周波信号に対してはハイインピーダンスになってその間において信号を遮断（カット）する。従って、高周波信号が人体からイヤーホーン１２Ｌ、１２Ｒ及び音声／高周波兼用信号線８Ｌａ・８Ｌｂ、８Ｒａ・８Ｒｂ等を介して受信装置１９側に侵入し、受信の安定性を損なうことを防止することができる。
【００４４】
Ｃ２Ｌは左のイヤーホーン１２Ｌの、Ｃ２Ｒは右のイヤーホーン１２Ｒの端子間に接続された帯域拡大用コンデンサで、例えば１０ｐＦの静電容量を有する。
【００４５】
ところで、上記各ローディングコイルＬＬａ、ＬＬｂ、ＬＲａ、ＬＲｂは、そのインダクタンスが図３に示すような周波数依存性を有し、１００ＭＨｚでは例えば約１．４μＨであり、そして、図４に示すように、インサーションロスが２００ＭＨｚで最大になるようにされているのである。具体的には、２００ＭＨｚではインサーションロスが５０ｄＢにも達する。従って、実質的に電気的分離をするようなハイインピーダンスになるといえるのである。因みに、１００ＭＨｚではインサーションロスが１５ｄＢ程度にしかならず、インピーダンスについては電気的分離を為し得ないローインピーダンスにしかならない。
【００４６】
尚、該ローディングボックス１０Ｌ、１０Ｒ間が首掛け用紐２０により繋がれ、イヤーホーンアンテナ２を首に掛けられるようにする役割を果たすが、高周波的には特に役割は持たない。従って、回路図である図１（Ｂ）ではこの首掛け用紐２０は２点鎖線で示した。
【００４７】
１８Ｌ、１８Ｒは音声信号伝達線で、高周波遮断手段たるフェライトビーズＦ２ＬＡ、Ｆ２ＲＡ（例えば村田製作所製ＢＬＭ１８ＨＤ１０２ＳＮ１  サイズ１６０８）を介して音声／高周波兼用信号線８Ｌａ、８Ｒａに接続されている。そして、音声／高周波兼用信号線８Ｌｂ、８Ｒｂは上記フェライトビーズＦ２ＬＡ、Ｆ２ＲＡと同じ特性のフェライトビーズＦ２ＬＣ、Ｆ２ＲＣを介して接地されている。
このフェライトビーズＦ２ＬＡ、Ｆ２ＲＡ、Ｆ２ＬＣ、Ｆ２ＲＣは音声信号経路に高周波信号が漏れることを防止するもので、テレビジョン放送信号の周波数帯域においては高インピーダンス（例えば１ｋΩ以上）になり、高周波信号を遮断し、音声信号の周波数帯域（２０ｋＨｚ以下）においては、抵インピーダンスになって音声信号の通過を許容する。
【００４８】
Ｃ１Ｌ、Ｃ１Ｒは音声／高周波兼用信号線８Ｌａ、８Ｒａとバラン４の平衡端子との間にそれぞれ介挿されたコンデンサ（容量が例えば１０ｐＦ）で、音声／高周波信号線８Ｌａ・８Ｌｂ及び８Ｒａ・８Ｒｂそれぞれを分離するためのものである。
Ｃ３Ｌ、Ｃ３Ｒは音声／高周波兼用信号線８Ｌａ・８Ｌｂ間、及び、音声／高周波兼用信号線８Ｒａ・８Ｒｂ間に接続された帯域拡大用コンデンサで、アンテナの受信周波数帯域を拡大するものである。但し、音声信号の周波数帯域では、信号線間は、それぞれ分離されている。
【００４９】
このイヤーホーンアンテナ２は、１００ＭＨｚ共振Ｖ型ダイポールアンテナと、２００ＭＨｚ共振Ｖ型ダイポールアンテナと、音声信号線とが共存する。即ち、１００ＭＨｚ共振Ｖ型ダイポールアンテナとしての機能と、２００ＭＨｚ共振Ｕ型ダイポールアンテナとしての機能と、左右の音声信号を左右のイヤーホーン１２Ｌ、１２Ｒへ伝送する機能とを有するのである。
【００５０】
先ず、１００ＭＨｚ共振Ｖ型ダイポールアンテナとしての機能について説明する。
各ローディングコイルＬＬａ、ＬＬｂ、ＬＲａ、ＬＲｂは、図４に示すように、１００ＭＨｚの周波数の信号に対しては、インサーションロスが１０ｄＢ（ゲイン＝−１０ｄＢ）程度と小さいので、ローディングコイルＬＬａ、ＬＬｂ、ＬＲａ、ＬＲｂと導体線８Ｌａ、８Ｌｂ、８Ｒａ、８Ｒｂとの間を高周波的に分離し得ない。
【００５１】
従って、１００ＭＨｚの周波数の信号に対しては、音声／高周波兼用信号線８Ｌａ、８Ｌｂ、８Ｒａ、８Ｒｂと、ローディングコイルＬＬａ、ＬＬｂ、ＬＲａ、ＬＲｂからなるＶ型ダイポールアンテナが受信アンテナとして機能し、共振する。
そして、そのローディングコイルＬＬａ、ＬＬｂ、ＬＲａ、ＬＲｂは基本周波数（例えば１００ＭＨｚ）の共振に必要とされるアンテナ長を短縮する共振アンテナ長短縮機能を有し、アンテナ長が短くても低い周波数の信号に対する受信感度を高めることができるようにする役割を果たす。
【００５２】
即ち、ダイポールアンテナは通常、１００ＭＨｚに共振するには必要な片側アンテナ長が０．７５３メートルにもなってしまう。これでは携帯用無線機（液晶ＴＶ）用としては実用性がない。
しかし、本イヤーホーンアンテナ２には、ローディングコイルＬＬａ、ＬＬｂ、ＬＲａ、ＬＲｂが存在し、その上記共振アンテナ長短縮機能によりアンテナ長が短くても低い周波数の信号に充分な感度で受信できる。
【００５３】
具体的には、各ローディングコイルＬＬａ、ＬＬｂのインダクタンスが１００ＭＨｚで約１．４μＨであり、１００ＭＨｚというテレビジョン放送使用周波数帯域内においては低域に属する（波長の比較的長い）信号に対して首掛けに適する実用的な長さのアンテナ長で共振を可能にする。
従って、実用的なアンテナ長で１００ＭＨｚ共振ダイポールアンテナが構成され、１００ＭＨｚの周波数に共振し、更に、１００ＭＨｚの高調波（３倍波、５倍波、７倍波）に共振するのである。
【００５４】
次に、２００ＭＨｚ共振ダイポールアンテナとしての機能について説明する。上記ローディングコイルＬＬａ、ＬＬｂ、ＬＲａ、ＬＲｂは、図４に示すように、２００ＭＨｚでの周波数の信号に対してはインサーションロスが５０ｄＢ（ゲイン：−５０ｄＢ）にも達し、実質的に、音声／高周波兼用信号線８Ｌａ、８Ｌｂ、８Ｒａ、８Ｒｂから分離し、音声／高周波兼用信号線８Ｌａ、８Ｌｂ、８Ｒａ、８Ｒｂのみがアンテナとして機能する。
【００５５】
そして、音声／高周波兼用信号線８Ｌａ、８Ｌｂ、８Ｒａ、８Ｒｂのみからなるダイポールアンテナは、片側アンテナ長が３７ｃｍなので、２００ＭＨｚの周波数の信号に共振する。従って、２００ＭＨｚの周波数の周波数の信号に共振し、その２００ＭＨｚの高調波（３倍波、５倍波、７倍波）に励振する２００ＭＨｚ共振Ｖ型ダイポールアンテナが存在することになる。
尚、ダイポールアンテナの場合、各アンテナ長に対する共振波長の計算値より実際の共振波長が多少短くなる傾向がある。
【００５６】
次に、音声信号を伝送する機能について説明する。
無線機本体１６の受信装置１９からケーブル１４を介して伝送された左右の音声信号は、左右の音声信号線１８Ｌ、１８Ｒ及びアースラインを通じて音声／高周波兼用信号線８Ｌａ、８Ｌｂ、８Ｒａ、８Ｒｂに伝送され、更に、ローディングボックス１０Ｌ、１０Ｒを介してイヤーホーン１２Ｌ、１２Ｒに伝送され、該イヤーホーン１２Ｌ、１２Ｒにて音声再生される。
その際、音声信号の漏れを音声信号遮断用コンデンサＣ１Ｌ、Ｃ２Ｒによって阻むことができる。
このように、音声信号を伝送する機能をも有するので、本イヤーホーンアンテナ２によりアンテナとイヤーホーンの一体化ができるのである。
【００５７】
このように、本イヤーホーンアンテナ２は、何の感度調整動作をしなくても、１００ＭＨｚ共振ダイポールアンテナとしても２００ＭＨｚ共振ダイポールアンテナとしても機能するので、１００ＭＨｚ及び２００ＭＨｚに共振し、その１００ＭＨｚ及び２００ＭＨｚの高調波（３倍、５倍、７倍）に励振するところの、テレビジョン放送使用周波数帯域を充分にカバーする広い帯域に渡って充分に高い受信感度を得ることができ、更に、無線機本体１６の受信装置１９側からの左右の音声信号のイヤーホーン１２Ｌ、１２Ｒへの伝送も行うことができるのである。
【００５８】
そして、フェライトビーズＦ１Ｌａ、Ｆ１Ｌｂ、Ｆ１Ｒａ、Ｆ１Ｒｂにより人体からイヤーホーン１２Ｌ、１２Ｒを通じてイヤーホーンアンテナ２側へ及ぼす高周波的悪影響を防ぐことができ、無線機本体１６側における受信の安定性が人体により損なわれることを防止することができる。
【００５９】
また、受信感度は、多少落ちるが、ローディングコイルＬＬａ、ＬＬｂ、ＬＲａ、ＬＲｂをなくすことも可能である。この場合、帯域拡大コンデンサＣ３Ｌ、Ｃ３Ｒを無くし、音声・高周波兼用信号線８Ｌａ、８Ｌｂと８Ｒａ、８ＲｂそれぞれをフェライトビーズＦ１Ｌａ、Ｆ１ＬｂとＦ１Ｒａ、Ｆ１Ｒｂにそれぞれ直接接続する。このとき、音声・高周波兼用信号線８Ｌａ、８Ｌｂと８Ｒａ、８Ｒｂの信号線の長さを、３７ｃｍとすることで、２００ＭＨｚの周波数に対しては、λ／４で共振し、１００ＭＨｚの周波数に対しては、λ／８で共振し、ＵＨＦ帯（４７０ＭＨｚ〜７７０ＭＨｚ）に対しては、高調波（３倍波、５倍波、７倍波）で共振するアンテナを実現することが出来る。この変形例を用いると実施例１に比べ、多少感度は、落ちるが、部品点数が、少ないと言う利点を持つ。
【００６０】
図５（Ａ）、（Ｂ）は本発明イヤーホーンアンテナの第２の実施例２ａを示すもので、（Ａ）は構成図、（Ｂ）はアンテナの回路図である。
本実施例２ａは、音声・高周波兼用信号線８Ｌｂと８Ｒｂを互いに接続し、これらはバラン４の平衡側の端子に接続しないようにし、変形折り返しダイポールアンテナ構成になるようにしたものである。そして、その互いに接続された音声・高周波兼用信号線８Ｌｂ・８Ｒｂと接地との間に一つのフェライトビーズＦＢＣが接続されている。また、音声信号分離コンデンサＣ１Ｌ、Ｃ１Ｒを無くし、音声・高周波兼用信号線８Ｌｂ・８Ｒｂのバラン側の端子と音声・高周波兼用信号線８Ｌａ・８Ｒａのバラン側でかつコンデンサＣ１Ｌ、Ｃ１Ｒの接続されていた端子をそれぞれ一体化する。この３つの点で、本実施例２ａは第１の実施例２と異なるが、それ以外の点では、異なるところはない。
【００６１】
本実施例２ａによれば、変形折り返しダイポールアンテナ構成なので、普通のダイポールアンテナ構成のものに比較してインピーダンスが４倍になる。従って、バラン４でのインピーダンスマッチングが容易になるという利点がある。また、ダイポールアンテナに比べ、帯域が広いと言う利点も持つ。
【００６２】
図６（Ａ）、（Ｂ）は本発明イヤーホーンアンテナの第３の実施例２ｂを示すもので、（Ａ）は構成図、（Ｂ）はアンテナの回路図である。
本実施例２ｂは、本発明をディジタル地上波を受信するアンテナに適用したもので、ＵＨＦ（４７０〜７７０ＭＨｚ）の高周波を受信すればよい。
従って、第１、第２の実施例２、２ａのようにローディングコイルを設けることは必要ではなく、また、音声・高周波兼用信号線８Ｌａ、８Ｌｂ、８Ｒａ、８Ｒｂの長さも短くて済む。
【００６３】
本実施例２ｂにおいては、音声・高周波兼用信号線８Ｌａ・８Ｌｂ、８Ｒａ・８Ｒｂがそれぞれ１５ｃｍの長さにされており、それとは、別に８Ｌａ・８Ｒａのバラン側のランドよりそれぞれ長さ１１ｃｍで８Ｌｃ・８Ｒｃの線材が延びている。この８Ｌｃ・８Ｒｃ間及び８Ｌｂ、８Ｒｂ間の間隔は５ｍｍ以上離して設ける。音声・高周波兼用信号線８Ｌａ、８Ｌｂと、８Ｒａ、８Ｒｂとはバラン４から例えば９０°の角度を成すように延びており、その角度は固定されている。
【００６４】
そして、上述のように、ローディングコイルは必要ではないので、音声・高周波兼用信号線８Ｌａ、８Ｌｂ、８Ｒａ、８Ｒｂの反バラン側の端子にはフェライトビーズＦ１Ｌａ、Ｆ１Ｌｂ、Ｆ１Ｒａ、Ｆ２Ｒｂの一端が接続され、該フェライトビーズＦ１Ｌａ、Ｆ１Ｌｂ、Ｆ１Ｒａ、Ｆ１Ｒｂの他端がイヤーホーン１２Ｌ、１２Ｒに接続されている。Ｃ２Ｌ、Ｃ２Ｒは帯域拡大用のコンデンサである。これらのフェライトビーズＦｌＬａ、Ｆ１Ｌｂ、Ｆ１Ｒａ、Ｆ１Ｒｂ及び帯域拡大用のコンデンサＣ２Ｌ、Ｃ２Ｒはフェライトビーズ・コンデンサボックス４０Ｌ、４０Ｒ内に収納され、該ボックス４０Ｌ、４０Ｒ間に首掛け用紐２０が繋がれ、首掛け可能なるようにされている。
【００６５】
本実施例２ｂによれば、ディジタル地上波に使用されるＵＨＦ（４７０〜７７０ＭＨｚ）の全周波数帯域の高周波信号を受信することができる。
【００６６】
尚、上記各実施例においては、音声・高周波兼用信号線８Ｌａ、８Ｌｂと、８Ｒａ、８Ｒｂとがバラン４から例えば９０°の角度を成すように延びて、Ｖ型ダイポールアンテナ構成を構成するようにされていた。しかし、その角度を約１８０°にしてＵ型ダイポールアンテナ構成を構成するような態様でも本発明を実施することができる。
【００６７】
【発明の効果】
請求項１のイヤーホーンアンテナによれば、バランにて平衡モードから不平衡モードにインピーダンス変換し、更に、上記二対の音声・高周波兼用信号線を、高周波信号に対しては受信アンテナとして機能させ、音声信号に対しては音声信号伝達手段として機能させるので、高周波受信アンテナとイヤーホーンとの一体化を図ることができる。
【００６８】
請求項２のイヤーホーンアンテナによれば、イヤーホーンと、音声・高周波兼用信号線との間に、高周波信号に対してはハイインピーダンスになってその信号を実質的に遮断し、音声信号に対してはローインピーダンスになってその信号の伝送を許容する高周波信号遮断手段を設けたので、人体からイヤーホーンを通じて高周波的悪影響がアンテナ、無線機の受信装置側に及ぶことをその高周波信号遮断手段によって阻むことができる。
【００６９】
請求項３の無線機によれば、請求項１のイヤーホーンアンテナを用いるので、そのイヤーホーンアンテナの持つ利点を享受することができる。
【００７０】
請求項４のイヤーホーンアンテナによれば、高周波信号をバランにて平衡モードから不平衡モードにモード変換することができると共に、基本周波数（例えば、１００ＭＨｚ）より高い特定の周波数（例えば２００ＭＨｚ）の信号に対してはローディングコイルがハイインピーダンスとなって上記二対の音声・高周波兼用信号線から分離し、その二対の音声・高周波兼用信号線をダイポールアンテナとして機能させ、共振させることができる。
また、基本周波数（例えば、１００ＭＨｚ）の信号に対しては上記ローディングコイルがローインピーダンスとなって上記二対の音声・高周波兼用信号線とそれに接続された各ローディングとを一つのダイポールアンテナとして機能させて共振させることができる。
【００７１】
依って、基本周波数（例えば１００ＭＨｚ）に共振し、更にその高調波（３倍波、例えば３００ＭＨｚ、５倍波、例えば５００ＭＨｚ、７倍波、例えば７００ＭＨｚ）に共振するダイポールアンテナと、予め設定された周波数（例えば１００ＭＨｚ）より高い特定の周波数（例えば２００ＭＨｚ）の信号に共振し、更にその高調波（３倍波、例えば６００ＭＨｚ等）に励振するダイポールアンテナとが上記二対の音声・高周波兼用信号線によって構成され、広い周波数帯域に渡って受信感度の変化の比較的少ない感度特性を得ることが可能になり、その感度特性を得るのにイヤーホーンアンテナに対する感度調整を全く要しない。
【００７２】
そして、ローディングコイルの共振アンテナ長の短縮機能により、アンテナを徒に長くすることなく低い周波数の信号に対する受信感度を高めることができる。
従って、アンテナ長が比較的短くても広い周波数帯域に渡って受信感度の変化の比較的少ない感度特性を得ることが可能になり、その感度特性を得るのにイヤーホーンアンテナに対する感度調整を全く要しない。
【００７３】
更に、請求項４のイヤーホーンアンテナによれば、音声信号に対しては上記各対の音声・高周波兼用信号線及び上記ローディングコイルが上記左右のイヤーホーンへの音声信号伝送手段として機能するようにしたので、イヤーホーンとアンテナの一体化を図ることができる。
従って、アンテナを広周波数帯域に渡る高周波信号の受信に用いることができると共に、イヤーホーンに音声信号を伝送する手段としても用いることができ、高感度、広帯域アンテナとイヤーホーンの一体化が可能となる。
【００７４】
請求項５のイヤーホーンアンテナによれば、折り返しダイポールアンテナが構成されるようにしたので、普通のダイポールアンテナ構成のものに比較してインピーダンスが４倍になる。従って、バランでのインピーダンスマッチングが容易になるという利点がある。
【００７５】
請求項６のイヤーホーンアンテナによれば、二対の音声・高周波兼用信号線のバラン側の部分における、その二対の一方と他方で成す角度が略１８０°を成すようにしたので、その二対の音声・高周波兼用信号線が上記特定の周波数の高周波信号に対してはＵ型ダイポールアンテナとして共振する。
【００７６】
請求項７のイヤーホーンアンテナによれば、二対の音声・高周波兼用信号線のバラン側の部分における、その二対の一方と他方で成す角度が略１８０°より小さい角度にしたので、その二対の音声・高周波兼用信号線は上記特定の周波数の高周波信号に対してはＶ型ダイポールアンテナとして共振する。
【００７７】
請求項８のイヤーホーンアンテナによれば、音声・高周波兼用信号線と各イヤーホーンとの間に、高周波信号に対してハイインピーダンスになってその間を高周波的に分離し、音声信号に対してローインピーダンスになってその音声信号の伝送を許容する高周波遮断手段を設けたので、人体からイヤーホーンを通じてアンテナ内に及ぼす高周波的悪影響をその高周波遮断手段によって阻むことができる。
【００７８】
請求項９のイヤーホーンアンテナによれば、左右の対を成す音声・高周波兼用信号線間それぞれに帯域拡大用コンデンサを接続したので、アンテナとしての受信感度の周波数特性を低周波数側に拡げることができる。
【００７９】
請求項１０のイヤーホーンアンテナによれば、音声・高周波兼用信号線に音声信号を伝達する音声信号線に高周波信号に対してハイインピーダンスになる高周波遮断手段を介在させたので、音声・高周波兼用信号線から音声信号線へ高周波受信信号が漏れることを防止することができる。
【００８０】
請求項１１の複合コイルによれば、一つのコアに複数の導体線を同じ巻き数巻いてインピーダンスの等しい複数のコイルを形成したので、略一つのコイル分の専有面積、占有体積で複数のコイルを形成することができ、延いては複数のコイルを用いる装置類の小型化、軽量化ができる。
【００８１】
請求項１２のイヤーホーンアンテナによれば、左右各対の各一対のローディングコイルとして上記複合コイルを用いてなるので、４個のローディングコイルをコイル２個分の大きさにすることができる。
請求項１３のイヤーホーンアンテナによれば、前記一対のローディングコイル取付部間に首かけ紐で繋いだので、イヤーホーンアンテナを首掛け構成にすることができる。
【００８２】
請求項１４の無線機によれば、上記イヤーホーンアンテナを用いたので、該イヤーホーンアンテナの持つ利点を享受することができる。
請求項１５の同軸ケーブルによれば、一つのケーブルで高周波信号と左右一対の音声信号線を伝送することができ、高周波信号と音声信号を伝送するのに、高周波信号を伝送するケーブルと左右一対の音声信号を伝送するケーブルとの複数のケーブルを用意する必要がなくなる。
【００８３】
請求項１６の無線機によれば、請求項１５の同軸ケーブルをバランと受信装置との間の接続に用いるので、受信装置とイヤーホーンアンテナとの間での高周波信号と音声信号を伝送するのに、高周波信号を伝送するケーブルと左右一対の音声信号を伝送するケーブルとの複数のケーブルを用意する必要がなくなり、１個の同軸ケーブルで済む。
【図面の簡単な説明】
【図１】（Ａ）、（Ｂ）は本発明イヤーホーンアンテナの第１の実施例を示すもので、（Ａ）は構成図、（Ｂ）は回路図である。
【図２】（Ａ）〜（Ｃ）はそのイヤーホーンアンテナに用いる各別の部材を示し、（Ａ）はピンジャックコネクタを示す図、（Ｂ）は同軸ケーブルの構成図、（Ｃ）は複合コイルの構成図である。
【図３】上記実施例で使用するローディングコイルの周波数とインダクタンスの関係を示す曲線図である。
【図４】上記第１の実施例で使用するローディングコイルの周波数とインサーションロスとの関係を示す曲線図である。
【図５】（Ａ）、（Ｂ）は本発明イヤーホーンアンテナの第２の実施例を示すもので、（Ａ）は構成図、（Ｂ）は回路図である。
【図６】（Ａ）、（Ｂ）は本発明イヤーホーンアンテナの第３の実施例を示すもので、（Ａ）は構成図、（Ｂ）は回路図である。
【符号の説明】
２・・・イヤーホーンアンテナ、４・・・バラン、６・・・ダイポールアンテナ、８Ｌａ、８Ｌｂ、８Ｒａ、８Ｒｂ・・・音声・高周波兼用信号線、１０Ｌ、１０Ｒ・・・ローディングボックス、１２Ｒ、１２Ｌ・・・イヤーホーン、１４・・・同軸ケーブル、１６・・・無線機本体、１８Ｌ、１８Ｒ・・・音声信号線、１９・・・受信装置、２０・・・首掛け用紐、ＬＬａ、ＬＬｂ、ＬＲａ、ＬＲｂ・・・ローディングコイル、ＦｌＬａ、Ｆ１Ｌｂ、Ｆ１Ｒａ、Ｆ１Ｒｂ、Ｆ２ＬＡ、Ｆ２ＲＡ、Ｆ２Ｃ、Ｆ２ＬＣ、Ｆ２ＲＣ・・・高周波遮断手段（フェライトビーズ）、Ｃ１Ｌ、Ｃ１Ｒ・・・音声信号遮断手段、Ｃ２Ｌ、Ｃ２Ｒ・・・受信周波数帯域拡大手段、Ｃ３Ｌ、Ｃ３Ｒ・・・受信周波数帯域拡大手段。
【図１】
2004266434.tif 000003
【図２】
2004266434.tif 000004
【図３】
2004266434.tif 000005
【図４】
2004266434.tif 000006
【図５】
2004266434.tif 000007
【図６】
2004266434.tif 000008